(57)【要約】【課題】複数の車両を用いてより効果的な広告を提供する。【解決手段】所定範囲を通過する複数の車両の速度に関する情報を取得し、第一車両が広告の終了前に所定範囲外に移動する場合において、第一車両よりも後に所定範囲内に入る第二車両が所定範囲内に入るときに、第一車両が所定範囲外に移動する時点において第一車両の表示装置に表示されていた広告の箇所であって速度情報に基づいた箇所から広告が表示されるように、第二車両に広告を表示させる。【選択図】図１２
2020086221.tif 000002
【特許請求の範囲】
【請求項１】
広告を車両の外側に向かって表示する表示装置を有する複数の車両に広告を表示させる情報処理装置であって、
前記表示装置を所定地点から認識可能な範囲である所定範囲を通過する前記複数の車両の、前記所定範囲内における速度に関する情報である速度情報を取得することと、
前記複数の車両のうち前記所定範囲内で前記広告を表示している第一車両が前記広告の終了前に前記所定範囲外に移動する場合において、前記複数の車両のうち前記第一車両よりも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させることと、
を実行する制御部を備える情報処理装置。
【請求項２】
前記制御部は、前記複数の車両のうち前記所定範囲内に入る順の各車両に対応する前記速度情報に基づいて前記広告を分割し、分割した前記広告を前記所定範囲内に入る順に前記各車両の前記表示装置に表示させること、
を更に実行する請求項１に記載の情報処理装置。
【請求項３】
前記制御部は、前記複数の車両のうち所定期間に前記所定範囲内に入る各車両についての前記速度情報に基づいて、前記広告の長さを変更すること、
を更に実行する請求項１または２に記載の情報処理装置。
【請求項４】
前記制御部は、
前記所定範囲内における交通に関する情報である交通情報を取得することと、
前記交通情報に基づいて、前記速度情報を取得することと、
を更に実行する請求項１から３の何れか１項に記載の情報処理装置。
【請求項５】
前記制御部は、前記所定範囲内における前記複数の車両の速度が高いほど、前記広告に含まれる情報量を少なくすること、
を更に実行する請求項１から４の何れか１項に記載の情報処理装置。
【請求項６】
広告を車両の外側に向かって表示する表示装置を有する複数の車両に広告を表示させる情報処理方法であって、
前記表示装置を所定地点から認識可能な範囲である所定範囲を通過する前記複数の車両の、前記所定範囲内における速度に関する情報である速度情報を取得することと、
前記複数の車両のうち前記所定範囲内で前記広告を表示している第一車両が前記広告の終了前に前記所定範囲外に移動する場合において、前記複数の車両のうち前記第一車両よりも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させることと、
を実行する情報処理方法。
【請求項７】
コンピュータに、広告を車両の外側に向かって表示する表示装置を有する複数の車両に広告を表示させるプログラムであって、
前記表示装置を所定地点から認識可能な範囲である所定範囲を通過する前記複数の車両の、前記所定範囲内における速度に関する情報である速度情報を取得することと、
前記複数の車両のうち前記所定範囲内で前記広告を表示している第一車両が前記広告の終了前に前記所定範囲外に移動する場合において、前記複数の車両のうち前記第一車両よ
りも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させることと、
をコンピュータに実行させるプログラム。
【発明の詳細な説明】
【技術分野】
【０００１】
本発明は、情報処理装置及び情報処理方法、プログラムに関する。
【背景技術】
【０００２】
複数の車両に広告を連動させて表示させる広告システムが知られている（例えば、特許文献１参照。）。
【先行技術文献】
【特許文献】
【０００３】
【特許文献１】特開２０１３−０８９０９６号公報
【発明の概要】
【発明が解決しようとする課題】
【０００４】
本発明の目的は、複数の車両を用いてより効果的な広告を提供することにある。
【課題を解決するための手段】
【０００５】
本発明の態様の一つは、広告を車両の外側に向かって表示する表示装置を有する複数の車両に広告を表示させる情報処理装置であって、前記表示装置を所定地点から認識可能な範囲である所定範囲を通過する前記複数の車両の、前記所定範囲内における速度に関する情報である速度情報を取得することと、前記複数の車両のうち前記所定範囲内で前記広告を表示している第一車両が前記広告の終了前に前記所定範囲外に移動する場合において、前記複数の車両のうち前記第一車両よりも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させることと、を実行する制御部を備える情報処理装置である。
【０００６】
本発明の態様の一つは、広告を車両の外側に向かって表示する表示装置を有する複数の車両に広告を表示させる情報処理方法であって、前記表示装置を所定地点から認識可能な範囲である所定範囲を通過する前記複数の車両の、前記所定範囲内における速度に関する情報である速度情報を取得することと、前記複数の車両のうち前記所定範囲内で前記広告を表示している第一車両が前記広告の終了前に前記所定範囲外に移動する場合において、前記複数の車両のうち前記第一車両よりも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させることと、を含む情報処理方法である。
【０００７】
本発明の態様の一つは、コンピュータに、広告を車両の外側に向かって表示する表示装置を有する複数の車両に広告を表示させるプログラムであって、前記表示装置を所定地点から認識可能な範囲である所定範囲を通過する前記複数の車両の、前記所定範囲内における速度に関する情報である速度情報を取得することと、前記複数の車両のうち前記所定範囲内で前記広告を表示している第一車両が前記広告の終了前に前記所定範囲外に移動する場合において、前記複数の車両のうち前記第一車両よりも後に前記所定範囲内に入る第二車両が前記所定範囲内に入るときに、前記第一車両が前記所定範囲外に移動する時点において前記第一車両の前記表示装置に表示されていた前記広告の箇所であって前記速度情報に基づいた箇所から前記広告が表示されるように、前記第二車両に前記広告を表示させる
ことと、をコンピュータに実行させるプログラムである。
【発明の効果】
【０００８】
本発明によれば、複数の車両を用いてより効果的な広告を提供することができる。
【図面の簡単な説明】
【０００９】
【図１】実施形態に係る広告表示システムの概略構成を示す図である。
【図２】車両を説明するための図である。
【図３】車両の表示装置に表示させる広告について説明する図である。
【図４】実施形態に係る広告表示システムを構成する車両及びサーバのそれぞれの構成の一例を概略的に示すブロック図である。
【図５】サーバの機能構成の一例を示す図である。
【図６】広告情報ＤＢに格納される広告情報の一例を示す図である。
【図７】走行履歴ＤＢに格納される走行履歴の一例を示す図である。
【図８】配信情報ＤＢに格納される配信情報の一例を示す図である。
【図９】車両からサーバに広告の表示に関する情報を送信する処理の一例を示すフローチャートである。
【図１０】車両の表示装置に広告を表示する処理の一例を示すフローチャートである。
【図１１】車両管理処理の一例を示すフローチャートである。
【図１２】広告配信処理の一例を示すフローチャートである。
【図１３】第２実施形態に係る広告情報ＤＢに格納される広告情報の一例を示す図である。
【図１４】第２実施形態に係る配信情報ＤＢに格納される配信情報の一例を示す図である。
【図１５】第２実施形態に係る広告配信処理の一例を示すフローチャートである。
【図１６】第３実施形態に係る広告情報ＤＢに格納される広告情報の一例を示す図である。
【図１７】第２実施形態に係る広告配信処理の一例を示すフローチャートである。
【発明を実施するための形態】
【００１０】
本発明の態様の一つである情報処理装置は、所定範囲内における複数の車両の速度に関する情報を夫々取得する。この速度は、予測したものであってもよい。所定範囲は、所定地点から消費者が表示装置を認識可能な範囲である。この所定範囲は、車両の表示装置に表示されている広告を消費者が認識可能な範囲ともいえる。所定地点とは、例えば交差点や横断歩道等の付近において消費者が立ち止まる地点であり、車外に存在する消費者が車両の表示装置に表示される広告を認識する可能性が高い地点である。車両の表示装置に広告を表示させた状態で車両が所定範囲内を通過すると、所定地点に存在する消費者に広告を認識させることができる。しかし、広告が時間とともに変化する例えば動画である場合には、車両の速度によっては、広告の始まりから終わりまでの全て（以下、広告全体ともいう。）を一台の車両によって消費者に認識させることが困難な場合がある。すなわち、広告が終わる前に車両が所定範囲から出てしまい、消費者が広告全体を見ることができない場合がある。そこで情報処理装置は、広告の途中で第一車両が所定範囲外に移動しても、その後に所定範囲内に入る第二車両によってその広告の続きを表示させることにより、消費者に対して広告の続きを見せる。これを繰り返すことにより、後続の車両が次々に車外の消費者に対して広告の続きを見せることができるため、広告全体を見せることが可能となる。ここで、車両の速度に応じて所定範囲内で車両の表示装置に広告を表示可能な時間が定まるため、第一車両の速度情報に基づいて、第二車両が広告のどの箇所から表示を始めればよいのか定まる。このように、広告全体を消費者に見せることができるため、広告の効果をより高めることができる。なお、第一車両と第二車両とは、同じ方向に進む車
両に限らない。
【００１１】
前記制御部は、前記複数の車両のうち前記所定範囲内に入る順の各車両に対応する前記速度情報に基づいて前記広告を分割し、分割した前記広告を前記所定範囲内に入る順に前記各車両の前記表示装置に表示させること、を更に実行してもよい。各車両の速度情報が予測可能であれば、各車両が所定範囲内において広告を表示可能な時間を予測することができる。この時間に基づいて広告を予め分割しておき、分割された広告を所定範囲内に入る順に各車両において表示すれば、広告全体を容易に表示することができる。各車両の速度は、例えば、現時点の速度であったり、所定範囲における道路の制限速度であったり、交通信号の情報、渋滞情報等に基づいて予測することができる。
【００１２】
前記制御部は、前記複数の車両のうち所定期間に前記所定範囲内に入る各車両についての前記速度情報に基づいて、前記広告の長さを変更すること、を更に実行してもよい。所定期間は、所定地点に消費者が留まる期間であり、例えば、歩行者側の信号機に示される信号が赤である期間である。ここで、車外の消費者は時間が経てば所定地点から移動する可能性がある。消費者は、例えば、信号が変わると、道路を渡って移動する。消費者が所定地点から移動してしまうと、消費者が広告全体を見ることができない可能性が高くなり、したがって、広告効果が低下する虞がある。すなわち、所定期間内に消費者が広告全体を見ることが可能なように広告の長さを調整することにより、広告効果を高めることができる。例えば、時間的な長さの異なる広告を複数用意しておき、速度情報に応じて表示させる広告を切り替えてもよい。
【００１３】
前記制御部は、前記所定範囲内における交通に関する情報である交通情報を取得することと、前記交通情報に基づいて、前記速度情報を取得することと、を更に実行してもよい。交通に関する情報とは、例えば、交通信号に関する情報、または、渋滞に関する情報等である。これらは、所定範囲内に存在する車両の速度に関連した情報であり、各車両の表示装置に表示される広告を所定地点において認識可能な時間に関連した情報である。例えば、消費者が広告を認識可能な時間が長い場合には、それに応じて、広告の時間を長くすることにより、より多くの情報を車外に表示することができるため、広告効果を高めることができる。一方、消費者が広告を認識可能な時間が短い場合には、それに応じて、広告の時間を短くすることにより、広告の全てを車外に表示することができるため、広告効果を高めることができる。
【００１４】
前記制御部は、前記所定範囲内における前記複数の車両の速度が高いほど、前記広告に含まれる情報量を少なくすること、を更に実行してもよい。例えば、情報量が多い広告を表示させている車両が高速で所定範囲内を走行すると、表示装置に表示される広告を消費者が十分に理解できない虞がある。これに対して、車両の速度が速くなるに応じて文字を大きくしたり図形を簡略化させたりすることにより広告に含まれる情報量を少なくすれば、広告が理解できなくなることを抑制できる。一方、車両の速度が低い場合には、広告に含まれる情報量を多くしても、消費者は十分に理解できることができるため、より多くの情報を消費者に与えることができる。
【００１５】
以下、図面に基づいて、本発明の実施の形態を説明する。以下の実施形態の構成は例示であり、本発明は実施形態の構成に限定されない。また、以下の実施形態は可能な限り組み合わせることができる。
【００１６】
＜第１実施形態＞
図１は、実施形態に係る広告表示システム１の概略構成を示す図である。図１に示す広告表示システム１は、車体の外壁に表示装置を備える複数の車両１０を含み、当該複数の車両１０の表示装置に広告を表示させるシステムである。広告には、静止画や動画（映像
）、スライド、メッセージ情報等が含まれる。なお、広告には、ＣＧ（Computer Graphics）等で生成された視覚情報をコンテンツに含むＡＲ（Augmented Reality）やプロジェクションマッピング(Projection Mapping)等が含まれてもよい。なお、以下では、広告が動画の場合について説明する。図１の例では、広告表示システム１は、複数の車両１０（１０Ａ、１０Ｂ、１０Ｃ）、及び、サーバ３０を含む。なお、車両１０の台数は図１に例示した３台に限らず、何台であってもよい。また、車両１０の種類は限定しない。例えば、車両１０は、運転者が存在していなくても自動で走行する自動運転車両であってもよく、運転者が手動で運転する車両であってもよい。また、車両１０は、広告の表示を専用とする車両であってもよい。
【００１７】
以下では、図１に示した各車両を区別する場合には、第一車両１０Ａ、第二車両１０Ｂ、第三車両１０Ｃといい、各車両を区別しない場合には、単に車両１０という。車両１０及びサーバ３０は、ネットワークＮ１によって相互に接続されている。ネットワークＮ１は、例えば、インターネット等の世界規模の公衆通信網でありＷＡＮ（Ｗｉｄｅ  Ａｒｅａ  Ｎｅｔｗｏｒｋ）やその他の通信網が採用されてもよい。また、ネットワークＮ１は、携帯電話等の電話通信網、ＷｉＦｉ等の無線通信網を含んでもよい。
【００１８】
車両１０は、車体の外壁に表示装置を備える車両である。車両１０は、例えば、サーバ３０から配信された広告のデータ（広告データ）を受信する。そして、車両１０は、自車両の備える表示装置を介し、車両１０の外部に対して広告データに基づく広告を表示する。
【００１９】
図２は、車両１０を説明するための図である。図２に示すように、車両１０を構成する車体の外壁には、表示装置２９が配置される。表示装置２９は、例えば、左側面、右側面、車両前方、車両後方、車両上方など、何れの位置に配置されていてもよく、また、複数の位置に配置されていてもよい。また、表示装置２９の配置位置は、これ以外であってもよい。例えば、プロジェクタ等を備える場合には、映像を投影できる車両の窓ガラス（例えば、サイドウインドウ、リアウインドウ等）が配置位置として例示できる。
【００２０】
また、車両１０は、自車両の状態を示す状態情報をサーバ３０に定期的、あるいは、サーバ３０からの要求に応じて送信する。状態情報として、車両１０の位置情報（緯度、経度）、速度情報、進行方向を示す情報等が例示される。車両１０は、自車両を一意に識別する識別情報（車両ＩＤ）とともに、上記の情報をサーバ３０に送信する。なお、車両１０を識別する車両ＩＤは、予め割り当てられる。
【００２１】
第１実施形態に係るサーバ３０は、複数の車両１０について表示される広告を管理するサーバである。サーバ３０は、複数の車両１０を介して表示される広告に関する情報と、表示装置２９を備える車両１０に関する情報とをデータベースに保持する。また、サーバ３０は、ネットワークＮ１に接続された車両１０から、定期的に送信された状態情報を取得する。そして、サーバ３０は、各車両１０から取得した上記情報に基づいて、各車両１０に広告を表示させる。
【００２２】
サーバ３０は、例えば、各車両１０から取得した位置情報及び速度情報に基づいて、所定範囲を通過するする複数の車両１０の夫々に動画を分割して出力する。それらの動画をつなぎ合せることにより、全体として１つの動画が完成する。サーバ３０は、各車両１０の表示装置２９に表示される動画を所定地点において認識可能な時間を取得し、所定範囲を通過する順にその認識可能な時間毎に動画を順に分割し、車両１０が所定範囲を通過するときに分割した動画が表示されるように動画を出力する。すなわち、所定範囲において第一車両１０Ａが表示した動画の続きを第二車両１０Ｂが表示し、更に、第二車両１０Ｂが表示した動画の続きを第三車両１０Ｃが表示する。これにより、所定地点に存在する消
費者は、第一車両１０Ａに表示された動画の続きを第二車両１０Ｂによって見ることができ、第二車両１０Ｂに表示された動画の続きを第三車両１０Ｃによって見ることができるため、比較的長い動画を最後まで見ることが可能になる。これにより、広告効果を高めることができる。
【００２３】
図３は、車両１０の表示装置２９に表示させる広告について説明する図である。図３は、１つの動画が３つに分割される場合を例示している。「動画開始」から「動画終了」までの時間を、図３の横方向に動画の長さとして示している。図３において、第一期間は、第一車両１０Ａによって表示される動画の時間的な長さを示し、第二期間は、第二車両１０Ｂによって表示される動画の時間的な長さを示し、第三期間は、第三車両１０Ｃによって表示される動画の時間的な長さを示している。また、第一分割時期は、第一期間と第二期間との境界に相当する時期であり、第二分割時期は、第二期間と第三期間との境界に相当する時期である。図３では、所定範囲を第一車両１０Ａ、第二車両１０Ｂ、第三車両１０Ｃの順に通過する場合を例示しており、所定地点から第一車両１０Ａの表示装置２９を認識可能な期間を第一期間とし、所定地点から第二車両１０Ｂの表示装置２９を認識可能な期間を第二期間とし、所定地点から第三車両１０Ｃの表示装置２９を認識可能な期間を第三期間としている。また、図３では、所定範囲を第一車両１０Ａが出た後に、所定範囲に第二車両１０Ｂが入り、所定範囲を第二車両１０Ｂが出た後に、所定範囲に第三車両１０Ｃが入る場合を例示している。
【００２４】
サーバ３０は、所定地点を通過する車両１０の順を取得すると共に、所定地点を通過する際に、所定地点から表示装置２９を認識可能な期間を各車両１０について算出する。例えば、サーバ３０は、車両１０の現時点での速度が継続するものとして、所定範囲を車両１０が通過するのに要する時間を、所定地点から表示装置２９を認識可能な期間として算出する。なお、所定範囲は所定地点から表示装置２９を認識可能な範囲であるが、この所定範囲は、表示装置２９の大きさ等に応じて設定してもよいし、表示装置２９の大きさに関わらず予め設定しておいてもよい。このようにして、第一期間、第二期間、第三期間の夫々の長さが求まる。
【００２５】
更に、サーバ３０は、第一期間に応じて第一分割時期を求め、第一期間及び第二期間に応じて第二分割時期を求める。そして、サーバ３０は、第一車両１０Ａが所定範囲に入るときに、第一期間に応じた動画が第一車両１０Ａの表示装置２９に表示されるように、第一期間に応じた動画を第一車両１０Ａに配信する。さらに、サーバ３０は、第二車両１０Ｂが所定範囲に入るときに、第二期間に応じた動画が第二車両１０Ｂの表示装置２９に表示されるように、第二期間に応じた動画を第二車両１０Ｂに配信する。同様に、サーバ３０は、第三車両１０Ｃが所定範囲に入るときに、第三期間に応じた動画が第三車両１０Ｃの表示装置２９に表示されるように、第三期間に応じた動画を第三車両１０Ｃに配信する。なお、各車両１０には分割した動画をサーバ３０から出力してもよいが、これに代えて、分割していない動画と各車両１０に対応した動画の分割時期に関する情報とをサーバ３０から出力してもよい。
【００２６】
ここで、例えば、第一車両１０Ａが所定範囲を出てから、第二車両１０Ｂが所定範囲に入るまでに、時間がかかる場合もある。この場合、所定地点から動画を見る消費者は、間隔が空いた動画を見ることになるが、動画を全て見ることはできる。一方、例えば、第一車両１０Ａが所定範囲を出る前に、第二車両１０Ｂが所定範囲に入る場合には、第一車両１０Ａの表示装置２９と第二車両１０Ｂの表示装置２９とを同時に認識できる。このような場合には、第一車両１０Ａと第二車両１０Ｂとに動画の同じ箇所が表示されるように動画を配信してもよい。
【００２７】
本第１実施形態に係る広告表示システム１によれば、一台の車両１０が所定範囲を通過
するときに表示しきれないような比較的長い広告であっても、複数の車両１０を用いて広告全体を表示させることができるため、広告の宣伝効果を高めることが可能になる。
【００２８】
（ハードウェア構成）
図４に基づいて、車両１０及びサーバ３０のハードウェア構成について説明する。図４は、本実施形態に係る広告表示システム１を構成する車両１０及びサーバ３０のそれぞれの構成の一例を概略的に示すブロック図である。
【００２９】
サーバ３０は、一般的なコンピュータの構成を有している。サーバ３０は、プロセッサ３１、主記憶部３２、補助記憶部３３、通信部３４を有する。これらは、バスにより相互に接続される。
【００３０】
プロセッサ３１は、ＣＰＵ（Central Processing Unit）やＤＳＰ（Digital Signal Processor）等である。プロセッサ３１は、サーバ３０を制御し、様々な情報処理の演算を
行う。プロセッサ３１は、「制御部」の一例である。主記憶部３２は、ＲＡＭ（Random Access Memory）、ＲＯＭ（Read Only Memory）等である。補助記憶部３３は、ＥＰＲＯＭ（Erasable Programmable ROM）、ハードディスクドライブ（ＨＤＤ、Hard Disk Drive）、リムーバブルメディア等である。補助記憶部３３には、オペレーティングシステム（Operating System :ＯＳ）、各種プログラム、各種テーブル等が格納される。補助記憶部３３に格納されたプログラムをプロセッサ３１が主記憶部３２の作業領域にロードして実行し、このプログラムの実行を通じて各構成部等が制御される。これにより、所定の目的に合致した機能をサーバ３０が実現する。主記憶部３２および補助記憶部３３は、コンピュータで読み取り可能な記録媒体である。なお、サーバ３０は、単一のコンピュータであってもよいし、複数台のコンピュータが連携したものであってもよい。また、補助記憶部３３に格納される情報は、主記憶部３２に格納されてもよい。また、主記憶部３２に格納される情報は、補助記憶部３３に格納されてもよい。
【００３１】
通信部３４は、ネットワークＮ１経由で車両１０と通信を行う手段である。通信部３４は、例えば、ＬＡＮ（Local Area Network）インターフェースボード、無線通信のための無線通信回路である。ＬＡＮインターフェースボードや無線通信回路は、ネットワークＮ１に接続される。
【００３２】
なお、サーバ３０で実行される一連の処理は、ハードウェアにより実行させることもできるが、ソフトウェアにより実行させることもできる。サーバ３０のハードウェア構成は、図４に示されるものに限定されない。
【００３３】
次に、車両１０について説明する。車両１０は、プロセッサ２１、主記憶部２２、補助記憶部２３、入力部２４、出力部２５、通信部２６、位置情報センサ２７、走行情報センサ２８、表示装置２９を有する。これらは、バスにより相互に接続される。プロセッサ２１、主記憶部２２、補助記憶部２３については、サーバ３０のプロセッサ３１、主記憶部３２、補助記憶部３３と同様であるため、説明を省略する。
【００３４】
入力部２４は、ユーザが行った入力操作を受け付ける手段であり、例えば、タッチパネル、押しボタン等である。出力部２５は、乗車しているユーザに対して情報を提示する手段であり、例えば、ＬＣＤ（Liquid Crystal Display）、ＥＬ（Electroluminescence）
パネル、スピーカ、ランプ等である。入力部２４及び出力部２５は、１つのタッチパネルディスプレイとして構成してもよい。通信部２６は、車両１０をネットワークＮ１に接続するための通信手段である。通信部２６は、例えば、移動体通信サービス（３Ｇ（3rd Generation）やＬＴＥ（Long Term Evolution）等の電話通信網、ＷｉＦｉ等の無線通信）
を利用して、ネットワークＮ１経由で他の装置（例えばサーバ３０等）と通信を行うため
の回路である。通信部２６によって車々間通信が可能であってもよい。
【００３５】
位置情報センサ２７は、所定の周期で、車両１０の位置情報を取得する。位置情報センサ２７は、例えば、ＧＰＳ（Global Positioning System）受信部、ＷｉＦｉ通信部等で
ある。走行情報センサ２８は、車両１０の走行状態や車両周囲の状況を検出するセンサの集合である。走行情報センサ２８は、例えば、車速センサ、加速度センサ、レーダ、方位角センサ等の、走行状態や車両周囲の状況に関連する情報（以下、走行情報ともいう。）を検出する一つ以上のセンサを含む。但し、走行情報センサ２８によって検出される情報は、例えば、路車間通信や車々間通信を通じて取得された、自車両付近の混雑度、周辺車両の速度、信号機の制御等に関するデータを含んでもよい。走行情報センサ２８で検出された情報は、例えば、時刻情報とともに補助記憶部２３等に記録され、位置情報とともにサーバ３０に送信される。
【００３６】
表示装置２９は、ＬＣＤ（Liquid Crystal Display）等の液晶ディスプレイ、有機ＥＬ（Electro-Luminescence）ディスプレイ、ＬＥＤマトリクス（Light Emitting Diode）、プロジェクタなどを用いて構成される。表示装置２９は、車体の外壁に外部に向けて設けられる。各車両１０に複数の表示装置２９が設けられていてもよい。車両１０は、表示装置２９に対する広告の表示に関する情報を補助記憶部２３等に保持する。例えば、広告の表示に関する情報には、自車両宛にサーバ３０から送信された情報（グループＩＤ、広告ＩＤ、広告データ、領域ＩＤ等）が含まれる。グループＩＤ、広告ＩＤ、領域ＩＤについては後述する。また、広告の表示に関する情報には、自車両宛に送信された広告の表示部分を示す情報（広告のどの箇所からどの箇所までを表示するのかを示す情報であり、以下、表示情報ともいう。）が含まれる。なお、車両１０のハードウェア構成は、図４に示されるものに限定されない。本第１実施形態に係る車両１０は、後述するように、自車両を一意に識別する識別情報（車両ＩＤ、ＩＰアドレス等）とともに、上記の位置情報、走行情報をサーバ３０に送信する。
【００３７】
（機能構成）
図５は、サーバ３０の機能構成の一例を示す図である。サーバ３０は、機能構成要素として、車両管理部３０１、車両選定部３０２、広告配信部３０３、広告情報ＤＢ３１１、走行履歴ＤＢ３１２、配信情報ＤＢ３１３、地図情報ＤＢ３１４を含む。車両管理部３０１、車両選定部３０２、広告配信部３０３は、例えば、サーバ３０のプロセッサ３１が、補助記憶部３３に記憶された各種プログラムを実行することで提供される機能構成要素である。
【００３８】
広告情報ＤＢ３１１、走行履歴ＤＢ３１２、配信情報ＤＢ３１３、地図情報ＤＢ３１４は、プロセッサ３１によって実行されるデータベース管理システム（Ｄａｔａｂａｓｅ  Ｍａｎａｇｅｍｅｎｔ  Ｓｙｓｔｅｍ、ＤＢＭＳ）のプログラムが、補助記憶部３３に記憶されるデータを管理することで構築される。広告情報ＤＢ３１１、走行履歴ＤＢ３１２、配信情報ＤＢ３１３、地図情報ＤＢ３１４は、例えば、リレーショナルデータベースである。なお、サーバ３０の各機能構成素のいずれか、またはその処理の一部は、ネットワークＮ１に接続される他のコンピュータにより実行されてもよい。
【００３９】
車両管理部３０１は、車両１０から送信された状態情報を取得する。状態情報には、位置情報センサ２７によって取得された位置情報、走行情報センサ２８によって取得された走行情報等が含まれる。また、車両管理部３０１は、車両１０が既にグループ化されている場合には、車両１０から送信された広告の表示に関する情報（グループＩＤ、広告ＩＤ、広告データ、領域ＩＤ、表示情報等）を取得する。車両管理部３０１は、状態情報、広告の表示に関する情報を取得した時刻情報に応じてレコードを生成し、当該レコードを走行履歴ＤＢ３１２等に格納する。なお、上記の各情報は、車両１０毎のテーブルとして管
理される。
【００４０】
車両選定部３０２は、所定の条件に基づいて、各車両１０が備える表示装置２９に広告を表示させるための車両群を選定する。ここでいう所定の条件とは、複数の車両１０をグループ化するための条件である。所定の条件には、各車両１０から収集された状態情報が含まれる。車両選定部３０２は、選定された車両群に関する情報を広告配信部３０３に引き渡す。
【００４１】
広告配信部３０３は、選定された車両群に対して広告を配信する。広告配信部３０３は、車両群と、当該車両群に配信される広告に関する情報を配信情報ＤＢ３１３に格納する。
【００４２】
広告情報ＤＢ３１１は、グループ化された車両群に配信する広告に関するデータを格納する。サーバ３０は、広告を提供する広告主によって生成されたデータを受け付け、広告情報ＤＢ３１１に登録する。図６は、広告情報ＤＢ３１１に格納される広告情報の一例を示す図である。広告情報は、図６に例示のように、広告情報テーブルとして管理される。広告情報テーブルに登録される情報は、適宜にフィールドの追加、変更、削除が可能である。
【００４３】
図６に例示の広告情報テーブルは、広告ＩＤ、領域ＩＤ、表示時間、広告データの各フィールドを有する。広告ＩＤのフィールドには、広告主から受け付けた広告を識別する識別情報（広告ＩＤ）が格納される。広告ＩＤは、広告の登録時に付与される。領域ＩＤのフィールドには、広告を表示させた状態で車両１０を走行させる領域を示す情報（領域ＩＤ）が格納される。領域ＩＤは、上記所定範囲を識別する情報である。表示時間のフィールドには、広告を全て表示させるために要する時間、すなわち、広告の長さを示す情報が格納される。広告データのフィールドには、動画データ等の広告のデータに関する情報が格納される。但し、広告データのフィールドに格納される情報は、他のテーブル等に格納された広告データを示す識別番号であってもよい。
【００４４】
走行履歴ＤＢ３１２は、車両１０から取得・収集された状態情報の履歴を格納する。走行履歴ＤＢ３１２には、広告表示システム１に登録された車両１０ごとの状態情報の履歴が格納される。図７は、走行履歴ＤＢ３１２に格納される走行履歴の一例を示す図である。走行履歴は、各車両１０の履歴テーブルとして管理される。履歴テーブルに登録される情報は、適宜にフィールドの追加、変更、削除が可能である。
【００４５】
図７に例示の履歴テーブルは、日時、位置情報、速度情報、進行方向、グループＩＤ、表示情報、広告ＩＤの各フィールドを有する。日時のフィールドには、状態情報を取得した日時を示す情報が格納される。位置情報のフィールドには、現時点の車両１０の位置を示す位置情報（緯度、経度等）が格納される。速度情報のフィールドには、現時点の車両１０の速度（ｋｍ／ｈ）を示す速度情報が格納される。進行方向のフィールドには、車両１０の進行方向を示す情報（例えば、方角）が格納される。グループＩＤのフィールドには、サーバ３０により付与された、車両１０の属する車両群を識別する識別情報（グループＩＤ）が格納される。なお、グループＩＤが付与されていないときには、グループＩＤが付与されていないことを示す情報（例えば、「---」や空欄等）が格納される。
【００４６】
表示情報のフィールドには、広告の表示部分を示す情報が格納される。例えば、車両１０が広告を部分的に表示する場合に、広告の表示を開始する箇所を示す情報、及び、広告の表示を終了する箇所を示す情報が格納される。なお、広告の表示を開始する箇所を示す情報、及び、広告を部分的に表示する時間を示す情報が格納されていてもよい。例えば、図３に示した第一分割時期や第二分割時期に相当する情報が格納される。また、例えば、
図３に示した第一期間、第二期間、第三期間に相当する情報が格納される。なお、広告が割り当てられていないときには、表示情報が存在しないことを示す情報（例えば、「---
」や空欄等）が格納される。
【００４７】
広告ＩＤのフィールドには、広告ＩＤが格納される。広告ＩＤが存在しないとき、すなわち、グループＩＤが付与されていないときには、広告ＩＤが存在しないこと示す情報（例えば、「---」や空欄等）が格納される。
【００４８】
配信情報ＤＢ３１３は、選定された車両群と、当該車両群に配信された広告に関する情報を格納する。図８は、配信情報ＤＢ３１３に格納される配信情報の一例を示す図である。配信情報は、図８に示すように、配信情報テーブルとして管理される。なお、配信情報テーブルに登録される情報は、適宜にフィールドの追加、変更、削除が可能である。
【００４９】
図８に例示の配信情報テーブルは、グループＩＤ、車両ＩＤ、広告ＩＤ、表示情報、領域ＩＤの各フィールドを有する。広告ＩＤ及び領域ＩＤは、図６と同様であるため説明を省略する。グループＩＤ及び表示情報は、図７と同様であるため説明を省略する。車両ＩＤフィールドには車両ＩＤが格納される。車両ＩＤは、車両１０の広告表示システム１への登録時に、ＩＰアドレス等と対応づけられてサーバ３０により付与される。なお、図８に示した表示情報に代えて、動画データ等の広告のデータであって、各車両１０が所定範囲内に存在するときに表示する部分を抜き出した広告のデータに関する情報が格納されてもよい。
【００５０】
図８においては、グループＩＤ「Ｇ００１」が付与された、車両ＩＤ「Ｖ００１」、「Ｖ００２」、「Ｖ００３」の３台からなる車両群が例示されている。なお、第一車両１０Ａの車両ＩＤをＶ００１とし、第二車両１０Ｂの車両ＩＤをＶ００２とし、第三車両１０Ｃの車両ＩＤをＶ００３とする。グループＩＤ「Ｇ００１」を構成する各車両１０は、領域ＩＤ「Ｄ００２」に対応する所定範囲内において、広告ＩＤ「Ｔ００２」で識別される広告を順に表示させる。第一車両１０Ａは、広告ＩＤ「Ｔ００２」に対応する広告データのうち、表示情報「Ｃ００２＿１」に対応する部分の広告を表示装置２９に表示させる。同様に、第二車両１０Ｂは、広告ＩＤ「Ｔ００２」に対応する広告データのうち、表示情報「Ｃ００２＿２」に対応する部分の広告を表示装置２９に表示させる。第三車両１０Ｃは、広告ＩＤ「Ｔ００２」に対応する広告データのうち、表示情報「Ｃ００２＿３」に対応する部分の広告を表示装置２９に表示させる。グループＩＤ「Ｇ００１」に属する車両１０の台数は、広告ＩＤに対応する広告データを全て表示するのに要する台数になる。この車両１０の台数は、各車両１０の速度や広告の時間的な長さに基づいて決まる。
【００５１】
図５に戻り、地図情報ＤＢ３１４には、地図データ、当該地図データ上の各地点の特性を示す文字や写真等のＰＯＩ（Point of interest）情報を含む地図情報が格納される。
なお、地図情報ＤＢ３１４は、ネットワークＮ１に接続される他のシステム、例えば、ＧＩＳ（Geographic Information System）から提供されてもよい。
【００５２】
（処理の流れ：車両）
次に、図９及び図１０を参照して、第１実施形態に係る車両１０の処理を説明する。図９は、車両１０からサーバ３０に広告の表示に関する情報を送信する処理の一例を示すフローチャートである。図９の処理は、所定の時間（例えば、一定の周期間隔、サーバ３０からの要求）毎にプロセッサ２１により実行される。
【００５３】
ステップＳ１０１では、プロセッサ２１は、自車両の状態を示す状態情報を取得する。プロセッサ２１は、位置情報センサ２７によって位置情報を取得し、走行情報センサ２８によって走行情報を取得する。プロセッサ２１は、状態情報及び状態情報と、これらを取
得した時刻を示す時刻情報とを対応付けて主記憶部２２の所定の領域に一時的に記憶し、ステップＳ１０２の処理に移行する。なお、プロセッサ２１は、路車間通信や車々間通信を通じて取得された、自車両付近の混雑度、信号機の制御等に関するデータを状態情報に含んでもよい。
【００５４】
ステップＳ１０２では、自車両が何れかのグループに属しているか否か判断される。自車両がグループに属している場合には、サーバ３０通じて送信された広告の表示に関する情報が補助記憶部２３等に格納されている。プロセッサ２１は、例えば、補助記憶部２３等を参照し、上記広告の表示に関する情報が格納されているかを判断する。ステップＳ１０２において肯定判定された場合にはステップＳ１０３へ進み、否定判定された場合にはステップＳ１０４へ進む。
【００５５】
ステップＳ１０３では、広告の表示に関する情報を取得する。プロセッサ２１は、補助記憶部２３等を参照し、サーバ３０から自車両宛に送信された広告の表示に関する情報（グループＩＤ、広告ＩＤ、広告データ、領域ＩＤ、表示情報等）を取得する。
【００５６】
ステップＳ１０４では、プロセッサ２１は、ステップＳ１０１、または、ステップＳ１０１およびステップＳ１０３の処理で取得した情報をサーバ３０に送信する。車両１０は、自車両に付与された車両ＩＤに上記情報を関連付けて、サーバ３０に送信する。ステップＳ１０４の処理後、図９に示したフローチャートが終了する。
【００５７】
以上の処理により、車両１０は、自車両の走行状態に関する状態情報をサーバ３０に送信できる。また、既に自車両が広告を表示させるためのグループ化が成されている場合には、広告の表示に関する情報をサーバ３０に通知できる。サーバ３０は、車両１０から送信された状態情報、広告の表示に関する情報に基づいて、広告を表示させる車両群の選定（グループ化）が可能になる。
【００５８】
次に、図１０は、車両１０の表示装置２９に広告を表示する処理の一例を示すフローチャートである。図１０の処理は、所定の時間（例えば、一定の周期間隔）毎にプロセッサ２１により実行される。
【００５９】
ステップＳ２０１では、プロセッサ２１は、サーバ３０から広告の表示に関する情報を取得済みであるか否か判定される。サーバ３０通じて送信された広告の表示に関する情報は、補助記憶部２３等に格納される。プロセッサ２１は、例えば、補助記憶部２３等を参照し、上記広告の表示に関する情報が格納されているかを判断する。ステップＳ２０１において肯定判定された場合にはステップＳ２０２へ進み、否定判定された場合には図１０に示したフローチャートを終了させる。
【００６０】
ステップＳ２０２では、自車両が所定範囲に入るタイミングであるか否か判定される。プロセッサ２１は、領域ＩＤに基づいて所定範囲を求める。なお、領域ＩＤと所定範囲との関係は予め補助記憶部２３等に記憶される。そして、プロセッサ２１は、自車両の現在位置が所定範囲付近であれば、自車両が所定範囲に入るタイミングであると判断する。なお、自車両の現在位置は、位置情報センサ２７により取得される。ステップＳ２０２で肯定判定された場合にはステップＳ２０３へ進み、否定判定された場合にはステップＳ２０２の処理を再度実行する。
【００６１】
ステップＳ２０３では、プロセッサ２１が表示装置２９への広告の表示を開始させる。プロセッサ２１は、広告ＩＤに対応した広告を表示装置２９に表示させる。その際、表示情報にしたがって、広告の所定の部分を表示装置２９に表示させる。ステップＳ２０４では、広告の表示を終了するタイミングであるか否か判定される。広告の表示を終了するタ
イミングは、表示情報に基づいて定まる。なお、位置情報に基づいて自車両が所定範囲を出るか否か判定し、自車両が所定範囲を出ると判定された場合に、広告の表示を終了するタイミングであると判断してもよい。ステップＳ２０４で肯定判定された場合にはステップＳ２０５へ進み、否定判定された場合にはステップＳ２０４の処理を実行する。そして、ステップＳ２０５では、プロセッサ２１が表示装置２９への広告の表示を終了させる。
【００６２】
以上の処理により、各車両１０は、割り当てられた広告の部分を表示させる。そして、グループ化された車両が次々に広告の続きを表示するため、所定地点に存在する消費者は広告全体を見ることができる。
【００６３】
（処理の流れ：サーバ）
次に、図１１及び図１２を参照して、第１実施形態に係るサーバ３０の処理を説明する。図１１は、車両管理処理の一例を示すフローチャートである。図１１の処理により、車両１０から送信された状態情報、及び、広告の表示に関する情報が車両１０毎に取得される。
【００６４】
図１１のフローチャートの処理は、例えば、車両１０から送信された状態情報及び広告の表示に関する情報を受信したときに開始される。プロセッサ３１は、車両１０から送信された車両ＩＤを取得する（ステップＳ３０１）。また、プロセッサ３１は、当該車両ＩＤに対応する状態情報を取得する（ステップＳ３０２）。なお、路車間通信や車々間通信を通じて取得された、車両１０付近の混雑度、周辺車両の速度、信号機の制御等に関するデータが含まれる場合には、当該データが状態情報として取得される。プロセッサ３１は、取得した状態情報を主記憶部３２の所定の領域に一時的に記憶し、ステップＳ３０３の処理に移行する。
【００６５】
ステップＳ３０３では、広告の表示に関する情報が含まれているか否か判断される。ステップＳ３０３で肯定判定された場合にはステップＳ３０４へ進み、否定判定された場合にはステップＳ３０５へ進む。
【００６６】
ステップＳ３０４では、プロセッサ３１は、広告の表示に関する情報を取得する。また、ステップＳ３０５では、プロセッサ３１は、ステップＳ３０１において取得した車両ＩＤを検索キーとして走行履歴ＤＢ３１２を検索し、当該車両ＩＤに対応する走行履歴テーブルを特定する。
【００６７】
ステップＳ３０６では、プロセッサ３１は、特定した走行履歴テーブルに対して時刻情報のレコードを生成し、当該レコードに、ステップＳ３０１、または、ステップＳ３０１およびステップＳ３０４で取得した情報を記録する。これにより、走行履歴ＤＢ３１２の車両ＩＤに対応する走行履歴テーブルが更新される。ステップＳ３０６の処理後、図１１に示したフローチャートが終了する。
【００６８】
以上の処理により、プロセッサ３１は、車両１０の車両ＩＤに基づいて走行履歴ＤＢ３１２を検索し、当該車両ＩＤに対応する走行履歴テーブルを特定できる。そしてプロセッサ３１は、特定した走行履歴テーブルに当該車両ＩＤの状態情報（位置情報、速度情報、進行方向を示す情報等）を記録できる。同様にして、プロセッサ３１は、車両ＩＤに対応する走行履歴テーブルに、グループＩＤ、表示情報、広告ＩＤ等を記録できる。プロセッサ３１は、走行履歴ＤＢ３１２に収集された車両ＩＤ毎の情報に基づいて、広告を表示させる車両群の選定（グループ化）が可能になる。
【００６９】
次に、図１２について説明する。図１２は、広告配信処理の一例を示すフローチャートである。図１２の処理により、所定の条件に該当する複数の車両１０が車両群として集合
化され、当該車両群の表示装置が表示する広告が夫々出力される。なお、図１２の処理は、広告情報ＤＢ３１１、走行履歴ＤＢ３１２を参照し、一定の周期間隔で広告ＩＤ毎にプロセッサ３１によって実行される。
【００７０】
図１２のフローチャートにおいて、プロセッサ３１は、広告情報ＤＢ３１１を参照し、処理対象の広告ＩＤのレコードを抽出する（ステップＳ４０１）。抽出されたレコードは、主記憶部３２の所定の領域に一時的に記憶される。
【００７１】
ステップＳ４０２では、プロセッサ３１は、処理対象のレコードに登録された領域ＩＤを示す情報を取得する。
【００７２】
ステップＳ４０３では、車両１０の現在位置及び進行方向に基づいて、所定範囲内の走行が予測される複数の車両１０が抽出される。プロセッサ３１は、例えば、走行履歴ＤＢ３１２を参照し、グループＩＤフィールドに「---」や空欄等が格納された車両１０を対
象として、現在位置が領域ＩＤで示される所定範囲の外部であり且つ進行方向が所定範囲に向いている全ての車両１０を抽出する。抽出された全ての車両１０（以下、「抽出車両」とも言う）は、ステップＳ４０４の処理に引き渡される。
【００７３】
ステップＳ４０４では、抽出車両の中から、広告を表示させるための条件に該当する車両（以下、「表示車両」とも言う。）が選定される。プロセッサ３１は、例えば、所定期間内に所定範囲内に存在する車両１０を抽出車両の中から選定するする。各車両１０が所定期間内に所定範囲内に存在するか否かは、各車両１０の現在位置、車両速度、進行方向に基づいて判断される。なお、所定範囲内を同時に走行しない車両１０がグループ化されるように車両１０を選定してもよい。表示車両は、所定範囲内に入る順に選定される。そして、表示車両は、広告全体を表示させるのに要する台数だけ選定される。プロセッサ３１は、抽出車両の中から所定範囲内に入る順に表示車両を選定し、各車両１０が所定範囲内において広告を表示する時間、すなわち、各車両１０が所定範囲内に存在する時間を積算する。そして、積算された時間が広告全体の長さに相当する時間に達するまで表示車両を選定し続ける。
【００７４】
なお、プロセッサ３１は、地図情報ＤＢ３１４を参照し、上記した車両１０の選定を行ってもよい。領域ＩＤに対応する地図データに基づいて車両１０の走行する道路や当該道路に設けられた信号の設置位置等が特定できる。また、プロセッサ３１は、ネットワークＮ１を介し、交通情報通信システム（ＶＩＣＳ（登録商標）：Vehicle Information and Communication System）等にアクセスし、渋滞情報等を取得してもよい。さらに、車両１０の路車間通信や車々間通信を通じて、自車両付近の混雑度、周辺車両の速度、信号機の制御等に関する情報を取得してもよい。これらの情報は車両速度と関連しているため、これらの情報に基づいて車両速度を算出して、車両１０を選定してもよい。これら渋滞情報、自車両付近の混雑度、周辺車両の速度、信号機の制御等に関する情報は、「交通情報」の一例である。
【００７５】
プロセッサ３１は、選定した車両１０に関する情報を主記憶部３２の所定の領域に一時的に記憶し、ステップＳ４０５の処理に移行する。
【００７６】
ステップＳ４０５では、プロセッサ３１は、選定された車両１０に対してグループＩＤを付与し、これらの車両１０をグループ化する。車両１０に付与されたグループＩＤは、ステップＳ４０６の処理に引き渡される。
【００７７】
ステップＳ４０６では、プロセッサ３１は、グループＩＤが付与された車両１０と、当該車両１０に配信される広告に関する情報とを関連付けて配信情報ＤＢ３１３に記録する
。プロセッサ３１は、付与されたグループＩＤ毎にレコードを生成し、当該レコードに表示させる広告の広告ＩＤ、領域ＩＤを示す情報を格納する。また、プロセッサ３１は、グループＩＤ毎のレコードに、グループを構成する各車両１０の車両ＩＤ及び表示情報を格納する。車両ＩＤに対応する表示情報は、車両１０が所定範囲内に入る順、及び、各車両１０が所定範囲内において広告を表示する時間に基づいて生成される。例えば、図３の第一期間に対応する表示情報が第一車両１０Ａに対応する車両ＩＤ（Ｖ００１）に格納される。同様にして、図３の第二期間に対応する表示情報が第二車両１０Ｂに対応する車両ＩＤ（Ｖ００２）に格納され、図３の第三期間に対応する表示情報が第三車両１０Ｃに対応する車両ＩＤ（Ｖ００３）に格納される。
【００７８】
そして、ステップＳ４０７では、プロセッサ３１は、グループＩＤが付与された車両１０に対して、広告の表示に関する情報を出力する。ステップＳ４０７の処理後、図１２に示したフローチャートが終了する。
【００７９】
グループ化された各車両１０は、サーバ３０から送信された広告の表示に関する情報を受信する。車両１０によって受信された広告の表示に関する情報は、主記憶部２２の所定の領域に一時的に記憶される。そして、車両１０のプロセッサ２１は、広告の表示に関する情報に基づいて、広告データを表示装置２９に表示させる。グループ化された車両群は、それぞれに割り当てられた広告データを表示装置２９に表示させることで、車両群全体として連続した広告を表示できる。
【００８０】
以上の処理により、第１実施形態の広告表示システム１によれば、先行車が表示した広告の続きを後続車が表示することで、消費者が広告全体を見ることができるので、広告の宣伝効果を高めることが可能になる。
【００８１】
＜変形例＞
第１実施形態では、広告の表示を開始する前に表示車両を選定しているが、これに代えて、先行車両が表示した広告の続きを表示可能な車両１０を、先行車両が所定範囲を出るごとに選定してもよい。例えば、信号機によって車両１０が停車する場合や、交通渋滞が発生している場合には、車両１０の速度が低下したり、速度が０になったりする場合がある。この場合、所定範囲内でもっと長い時間、広告を表示させることができる。信号機の情報や渋滞の情報を集めて予め広告を分割することも可能であるが、車両１０の速度を正確に予測することが困難な場合もある。これに対し、先行車が実際に表示した広告の続きを表示可能な車両１０をその都度選定すれば、所定範囲内を実際に走行した期間に応じた広告を後続車に表示させることができるため、より効率よく広告を表示させることができる。
【００８２】
車両１０のプロセッサ２１は、広告を表示しているときに車両１０が所定範囲外に移動する場合に、所定範囲を出る時点で表示されている広告の箇所に関する情報（例えば、広告の始めからの時間に関する情報）をサーバ３０に送信する。この信号を受けたサーバ３０のプロセッサ３１は、次に所定範囲に入る車両１０、又は、既に所定範囲内を走行中の車両１０を選定する。さらに、サーバ３０は、先行車が所定範囲を出る時点で表示していた広告の箇所から、選定した車両１０が所定範囲内で広告を表示するように、選定した車両１０に対して表示情報等を出力する。
【００８３】
＜第２実施形態＞
第１実施形態では、広告全体の長さは不変であるが、本第２実施形態では、条件によって広告全体の長さを変える。ここで、広告全体を表示するのに要する時間が長い場合には、所定範囲を通過する車両１０だけでは、広告全体を表示することが困難な場合がある。例えば、所定範囲を通過する車両１０の台数が少ないために、広告を終わりまで表示する
ことが困難な場合がある。また、所定範囲内を走行する車両１０の速度が高いために、各車両１０が表示可能な広告の長さが短くなって、広告を終わりまで表示することが困難な場合がる。そこで、本第２実施形態では、所定地点に存在する消費者が広告全体を見ることができるように、広告全体の長さを選定する。
【００８４】
例えば、広告を表示可能な車両１０が少ないほど、広告全体の長さが短くなるように、広告を切り替える。広告全体の時間的な長さが異なる複数の広告を予め用意しておき、所定地点から各車両１０の表示装置２９を認識可能な時間に基づいて、広告の長さを切り替える。また、例えば、信号機によって車両１０が停止する時間が長い場合や、交通渋滞によって車両１０の速度が低い場合には、より長い時間に亘って広告を消費者に認識させることができる。したがって、車両１０が信号機によって停止する場合や、交通渋滞が発生している場合には、広告全体の長さが長くなるように、広告を切り替える。
【００８５】
図１３は、本第２実施形態に係る広告情報ＤＢ３１１に格納される広告情報の一例を示す図である。広告情報は、図１３に例示のように、広告情報テーブルとして管理される。広告情報テーブルに登録される情報は、適宜にフィールドの追加、変更、削除が可能である。
【００８６】
図１３に例示の広告情報テーブルは、第一広告ＩＤ、第二広告ＩＤ、領域ＩＤ、表示時間、広告データの各フィールドを有する。第一広告ＩＤのフィールドには、広告主から受け付けた広告群を識別する識別情報が格納される。第一広告ＩＤは、広告の登録時に付与される。第二広告ＩＤのフィールドには、第一広告ＩＤに対応する複数の広告を識別する識別情報が格納される。第二広告ＩＤは、第一広告ＩＤに関連する広告であって時間的な長さの異なる広告を識別する情報である。領域ＩＤのフィールドには、広告を表示させた状態で車両１０を走行させる領域を示す情報（領域ＩＤ）が格納される。領域ＩＤは、上記所定範囲を識別する情報である。表示時間のフィールドには、第二広告ＩＤに対応する広告を全て表示させるために要する時間、すなわち、第二広告ＩＤに対応する広告の時間的な長さを示す情報が格納される。広告データのフィールドには、第二広告ＩＤに対応する広告のデータに関する情報が格納される。但し、広告データのフィールドに格納される情報は、他のテーブル等に格納された広告データを示す識別番号であってもよい。
【００８７】
サーバ３０のプロセッサ３１は、所定期間に所定範囲に存在する各車両１０の状態情報と、図１３に示した第二広告ＩＤに対応する広告の表示時間とに基づいて、各車両１０に表示させる広告に対応する第二広告ＩＤを選定する。例えば、所定期間に所定範囲に存在する車両１０によって広告を表示可能な時間を算出し、この時間よりも短い広告の中から最も時間の長い広告を選定する。そして、各車両１０に広告の表示に関する情報（グループＩＤ、第二広告ＩＤ、広告データ、領域ＩＤ、表示情報等）を出力する。
【００８８】
図１４は、本第２実施形態に係る配信情報ＤＢ３１３に格納される配信情報の一例を示す図である。配信情報は、図１４に示すように、配信情報テーブルとして管理される。なお、配信情報テーブルに登録される情報は、適宜にフィールドの追加、変更、削除が可能である。
【００８９】
図１４に例示の配信情報テーブルは、グループＩＤ、車両ＩＤ、第二広告ＩＤ、表示情報、領域ＩＤの各フィールドを有する。なお、グループＩＤ、車両ＩＤ、領域ＩＤは、図８と同様であるため説明を省略する。第二広告ＩＤは、図１３と同様であるため説明を省略する。
【００９０】
表示情報のフィールドには、第二広告ＩＤに対応する広告の表示部分を示す情報が格納される。なお、表示情報に代えて、動画データ等の広告のデータであって、各車両１０が
所定範囲内を走行するときに表示する部分を抜き出した広告のデータに関する情報が格納されてもよい。
【００９１】
図１４においては、グループＩＤ「Ｇ００１」が付与された、車両ＩＤ「Ｖ００１」、「Ｖ００２」、「Ｖ００３」の３台からなる車両群が例示されている。図１４においては、グループＩＤ「Ｇ００１」が付与された車両群に第二広告ＩＤ「Ｔ００１＿３」で識別される広告を各車両１０に表示させるように、広告が選定されている。なお、第一車両１０Ａの車両ＩＤをＶ００１とし、第二車両１０Ｂの車両ＩＤをＶ００２とし、第三車両１０Ｃの車両ＩＤをＶ００３とする。グループＩＤ「Ｇ００１」を構成する各車両１０は、領域ＩＤ「Ｄ００１」に対応する所定範囲内において、第二広告ＩＤ「Ｔ００１＿３」で識別される広告を順に表示させる。第一車両１０Ａは、第二広告ＩＤ「Ｔ００１＿３」に対応する広告データのうち、表示情報「Ｃ００１＿Ｃ＿１」に対応する部分の広告を表示装置２９に表示させる。同様に、第二車両１０Ｂは、第二広告ＩＤ「Ｔ００１＿３」に対応する広告データのうち、表示情報「Ｃ００１＿Ｃ＿２」に対応する部分の広告を表示装置２９に表示させる。第三車両１０Ｃは、第二広告ＩＤ「Ｔ００１＿３」に対応する広告データのうち、表示情報「Ｃ００１＿Ｃ＿３」に対応する部分の広告を表示装置２９に表示させる。
【００９２】
図１５は、本第２実施形態に係る広告配信処理の一例を示すフローチャートである。図１５の処理により、所定の条件に該当する複数の車両１０が車両群として集合化され、当該車両群の表示装置２９が夫々表示する広告が出力される。なお、図１５の処理は、広告情報ＤＢ３１１、走行履歴ＤＢ３１２を参照し、一定の周期間隔で広告ＩＤ毎にプロセッサ３１によって実行される。なお、図９に示したように、各車両１０からサーバ３０に、状態情報及び広告の表示に関する情報が所定の時間毎に送信されている。
【００９３】
図１５のフローチャートにおいて、プロセッサ３１は、広告情報ＤＢ３１１を参照し、処理対象の第一広告ＩＤのレコードを抽出する（ステップＳ５０１）。抽出されたレコードは、主記憶部３２の所定の領域に一時的に記憶される。
【００９４】
ステップＳ５０２では、プロセッサ３１は、処理対象のレコードに登録された領域ＩＤを示す情報を取得する。プロセッサ３１は、領域ＩＤを示す情報をステップＳ５０３の処理に引き渡す。
【００９５】
ステップＳ５０３では、現在位置及び進行方向に基づいて、所定期間に所定範囲内の走行が予測される複数の車両１０が抽出される。プロセッサ３１は、例えば、走行履歴ＤＢ３１２を参照し、グループＩＤフィールドに「---」や空欄等が格納された車両１０を対
象として、各車両１０が所定期間内に所定範囲内を走行するか否かを、各車両１０の現在位置、車両速度、進行方向に基づいて判断し、所定期間内に所定範囲内を走行する車両１０を抽出する。このときに、所定範囲内を同時に走行しない車両１０がグループ化されるように車両１０を抽出してもよい。
【００９６】
なお、プロセッサ３１は、地図情報ＤＢ３１４を参照し、上記した車両１０の抽出を行ってもよい。領域ＩＤに対応する地図データに基づいて車両１０の走行する道路や当該道路に設けられた信号の設置位置等が特定できる。また、プロセッサ３１は、ネットワークＮ１を介し、交通情報通信システム（ＶＩＣＳ（登録商標）：Vehicle Information and Communication System）等にアクセスし、渋滞情報等を取得してもよい。さらに、車両１０の路車間通信や車々間通信を通じて取得された、自車両付近の混雑度、周辺車両の速度、信号機の制御等に関するデータを反映させて、車両１０を抽出してもよい。抽出された全ての車両１０（以下、「抽出車両」とも言う）は、ステップＳ５０４の処理に引き渡される。
【００９７】
ステップＳ５０４では、抽出車両が所定範囲内において広告を表示する時間に基づいて、各車両１０に表示させる広告を選定する。プロセッサ３１は、全ての抽出車両が所定範囲内において広告を表示する時間、すなわち、全ての抽出車両が所定範囲内に存在する時間を積算する。そして、全ての抽出車両について積算された時間と、第二広告ＩＤに対応する表示時間とを比較し、積算された時間内で最も長い表示時間を有する第二広告ＩＤを、車両１０に表示させる広告のＩＤとして選定する。
【００９８】
ステップＳ５０５では、抽出車両の中から、広告を表示させるための条件に該当する車両（以下、「表示車両」とも言う。）が選定される。プロセッサ３１は、抽出車両の中から所定範囲内に入る順に表示車両を選定し、各車両１０が所定範囲内において広告を表示する時間、すなわち、各車両１０が所定範囲内を走行している時間を積算する。そして、積算された時間が第二広告ＩＤに対応する広告全体の長さ（表示時間）に達するまで表示車両を選定し続ける。プロセッサ３１は、選定した車両１０に関する情報を主記憶部３２の所定の領域に一時的に記憶し、ステップＳ５０６の処理に移行する。そして、ステップＳ５０６では、プロセッサ３１は、選定された車両１０に対してグループＩＤを付与し、グループ化する。
【００９９】
ステップＳ５０７では、プロセッサ３１は、グループＩＤが付与された車両１０と、当該車両１０に配信される広告に関する情報とを関連付けて配信情報ＤＢ３１３に記録する。プロセッサ３１は、付与されたグループＩＤ毎にレコードを生成し、当該レコードに表示させる広告の第二広告ＩＤ、領域ＩＤを示す情報を格納する。また、プロセッサ３１は、グループＩＤ毎のレコードに、グループを構成する各車両１０の車両ＩＤ及び表示情報を格納する。車両ＩＤに対応する表示情報は、車両１０が所定範囲内に入る順、及び、各車両１０が所定範囲内において広告を表示する時間に基づいて生成される。
【０１００】
ステップＳ５０８では、プロセッサ３１は、グループＩＤが付与された車両１０に対して、広告の表示に関する情報を出力する。ステップＳ５０８の処理後、図１５に示したフローチャートが終了する。
【０１０１】
グループ化された各車両１０は、サーバ３０から送信された広告の表示に関する情報を受信する。車両１０によって受信された広告の表示に関する情報は、主記憶部２２の所定の領域に一時的に記憶される。そして、車両１０のプロセッサ２１は、広告の表示に関する情報に基づいて、広告データを表示装置２９に表示させる。グループ化された車両群は、それぞれに割り当てられた広告データを表示装置２９に表示させることで、車両群全体として連続した広告を表示できる。
【０１０２】
以上の処理により、第２実施形態の広告表示システム１によれば、所定期間に表示可能な長さの広告を選定することにより、消費者が広告全体を見ることができるので、広告の宣伝効果を高めることが可能になる。
【０１０３】
＜第３実施形態＞
本第３実施形態では、条件に応じて広告の内容を変化させる。例えば、広告に文字や図形が含まれる場合には、車両１０の速度によって消費者が認識可能な文字の量や文字の大きさ、図形の形が異なる。すなわち、車両１０の速度が低いほど、消費者は広告に含まれる情報をより多く認識することができる。そこで、本第３実施形態では、車両１０の速度が高い場合は低い場合よりも、情報量が少ない広告を表示させる。この場合、車両１０の速度が所定速度以上の場合には、比較的情報量が少ない広告を表示させ、所定速度未満の場合には、比較的情報量が多い広告を表示させてもよい。ここでいう車両１０の速度は、複数の車両１０の平均速度としてもよく、複数の車両１０の中で速度が最も高い車両の速
度としてもよく、複数の車両１０の中で速度が最も低い車両の速度としてもよい。
【０１０４】
図１６は、本第３実施形態に係る広告情報ＤＢ３１１に格納される広告情報の一例を示す図である。広告情報は、図１６に例示のように、広告情報テーブルとして管理される。広告情報テーブルに登録される情報は、適宜にフィールドの追加、変更、削除が可能である。
【０１０５】
図１６に例示の広告情報テーブルは、第一広告ＩＤ、第二広告ＩＤ、領域ＩＤ、表示時間、速度、広告データの各フィールドを有する。第一広告ＩＤのフィールドには、広告主から受け付けた広告群を識別する識別情報が格納される。第一広告ＩＤは、広告の登録時に付与される。第二広告ＩＤのフィールドには、第一広告ＩＤに対応する複数の広告を識別する識別情報が格納される。第二広告ＩＤは、第一広告ＩＤに関連する広告であって情報量が異なる広告を識別する情報である。領域ＩＤのフィールドには、広告を表示させる領域を示す情報（領域ＩＤ）が格納される。領域ＩＤは、上記所定範囲を識別する情報である。表示時間のフィールドには、第二広告ＩＤに対応する広告を全て表示させるために要する時間、すなわち、第二広告ＩＤに対応する広告の長さを示す情報が格納される。
【０１０６】
速度のフィールドには、第二広告ＩＤに対応する車両１０の速度に関する情報が格納される。図１６においては、速度領域を「低」「中」「高」の三段階に分けている。「低」は車両１０の速度が比較的低い速度領域を示し、「中」は「低」よりも車両１０の速度が高い速度領域を示し、「高」は「中」よりも車両１０の速度が高い速度領域を示している。広告データのフィールドには、第二広告ＩＤに対応する広告のデータに関する情報が格納される。但し、広告データのフィールドに格納される情報は、他のテーブル等に格納された広告データを示す識別番号であってもよい。速度が「低」の第二広告ＩＤには、情報量が最も少ない広告のデータが対応する。速度が「中」の第二広告ＩＤには、情報量が中程度の広告のデータが対応する。速度が「高」の第二広告ＩＤには、情報量が最も多い広告のデータが対応する。この情報量は、表示装置２９に表示される情報量であり、消費者が認識可能な情報量に基づいて設定される。例えば文字の大きさが大きいほど、表示装置２９に表示可能な文字の数が少なくなるため、表示装置２９に表示される情報量が少ないものとする。また、例えば文字の量が少ないほど、表示装置２９に表示される情報量が少ないものとする。また例えば、図形の大きさが大きいほど、表示装置２９に表示可能な図形の数が少なくなるため、表示装置２９に表示される情報量が少ないものとする。
【０１０７】
サーバ３０のプロセッサ３１は、所定範囲に存在する各車両１０の状態情報と、図１６に示した第二広告ＩＤに対応する速度とに基づいて、各車両１０に表示させる広告に対応する第二広告ＩＤを選定する。そして、各車両１０に広告の表示に関する情報（グループＩＤ、第二広告ＩＤ、広告データ、領域ＩＤ、表示情報等）を出力する。本第３実施形態では、図１４に示した配信情報ＤＢ３１３と同様にしてデータベースが構築される。
【０１０８】
図１７は、本第２実施形態に係る広告配信処理の一例を示すフローチャートである。図１７の処理により、所定の条件に該当する複数の車両１０が車両群として集合化され、当該車両群の表示装置２９が夫々表示する広告が出力される。なお、図１７の処理は、広告情報ＤＢ３１１、走行履歴ＤＢ３１２を参照し、一定の周期間隔で広告ＩＤ毎にプロセッサ３１によって実行される。なお、図９に示したように、各車両１０からサーバ３０に、状態情報及び広告の表示に関する情報が所定の時間毎に送信されている。
【０１０９】
図１７のフローチャートにおいて、プロセッサ３１は、広告情報ＤＢ３１１を参照し、処理対象の第一広告ＩＤのレコードを抽出する（ステップＳ６０１）。抽出されたレコードは、主記憶部３２の所定の領域に一時的に記憶される。
【０１１０】
ステップＳ６０２では、プロセッサ３１は、処理対象のレコードに登録された領域ＩＤを示す情報を取得する。プロセッサ３１は、領域ＩＤを示す情報をステップＳ６０３の処理に引き渡す。
【０１１１】
ステップＳ６０３では、現在位置及び進行方向に基づいて、所定範囲内の走行が予測される複数の車両１０が抽出される。プロセッサ３１は、例えば、走行履歴ＤＢ３１２を参照し、グループＩＤフィールドに「---」や空欄等が格納された車両１０を対象として、
現在位置が領域ＩＤで示される所定範囲外で且つ進行方向が所定範囲に向いている全ての車両１０を抽出する。抽出された全ての車両１０（以下、「抽出車両」とも言う）は、ステップＳ６０４の処理に引き渡される。
【０１１２】
ステップＳ６０４では、抽出車両の中から、広告を表示させるための条件に該当する車両（以下、「表示車両」とも言う。）が選定される。プロセッサ３１は、例えば、所定期間内に所定範囲内に存在する車両１０を抽出車両の中から選定するする。各車両１０が所定期間内に所定範囲内に存在するか否かは、各車両１０の現在位置、車両速度、進行方向に基づいて判断される。なお、所定範囲内を同時に走行しない車両１０がグループ化されるように車両１０を選定してもよい。表示車両は、所定範囲内に入る順に選定される。そして、表示車両は、広告全体を表示させるのに要する台数だけ選定される。プロセッサ３１は、抽出車両の中から所定範囲内に入る順に表示車両を選定し、各車両１０が所定範囲内において広告を表示する時間、すなわち、各車両１０が所定範囲内を走行している時間を積算する。そして、積算された時間が広告全体の長さに相当する時間に達するまで表示車両を選定し続ける。
【０１１３】
なお、プロセッサ３１は、地図情報ＤＢ３１４を参照し、上記した車両１０の選定を行ってもよい。領域ＩＤに対応する地図データに基づいて車両１０の走行する道路や当該道路に設けられた信号の設置位置等が特定できる。また、プロセッサ３１は、ネットワークＮ１を介し、交通情報通信システム（ＶＩＣＳ（登録商標）：Vehicle Information and Communication System）等にアクセスし、渋滞情報等を取得してもよい。さらに、車両１０の路車間通信や車々間通信を通じて取得された、自車両付近の混雑度、周辺車両の速度、信号機の制御等に関するデータを反映させて、車両１０を選定してもよい。
【０１１４】
プロセッサ３１は、選定した車両１０に関する情報を主記憶部３２の所定の領域に一時的に記憶し、ステップＳ６０５の処理に移行する。
【０１１５】
ステップＳ６０５では、プロセッサ３１は、選定された車両１０に対してグループＩＤを付与し、グループ化する。
【０１１６】
ステップＳ６０６では、表示車両の速度に関する情報に基づいて、各車両１０に表示させる広告を選定する。プロセッサ３１は、例えば、所定範囲内を通過するときの全ての表示車両の平均速度と、図１６に示した第二広告ＩＤに対応する速度とに基づいて、各車両１０に表示させる広告に対応する第二広告ＩＤを選定する。
【０１１７】
ステップＳ６０７では、プロセッサ３１は、グループＩＤが付与された車両１０と、当該車両１０に配信される広告に関する情報とを関連付けて配信情報ＤＢ３１３に記録する。プロセッサ３１は、付与されたグループＩＤ毎にレコードを生成し、当該レコードに表示させる広告の第二広告ＩＤ、領域ＩＤを示す情報を格納する。また、プロセッサ３１は、グループＩＤ毎のレコードに、グループを構成する各車両１０の車両ＩＤ及び表示情報を格納する。車両ＩＤに対応する表示情報は、車両１０が所定範囲内に入る順、及び、各車両１０が所定範囲内において広告を表示する時間に基づいて生成される。
【０１１８】
ステップＳ６０８では、プロセッサ３１は、グループＩＤが付与された車両１０に対して、広告の表示に関する情報を出力する。ステップＳ６０８の処理後、図１７に示したフローチャートが終了する。
【０１１９】
グループ化された各車両１０は、サーバ３０から送信された広告の表示に関する情報を受信する。車両１０によって受信された広告の表示に関する情報は、主記憶部２２の所定の領域に一時的に記憶される。そして、車両１０のプロセッサ２１は、広告の表示に関する情報に基づいて、広告データを表示装置２９に表示させる。グループ化された車両群は、それぞれに割り当てられた広告データを表示装置２９に表示させることで、車両群全体として連続した広告を表示できる。
【０１２０】
以上の処理により、第３実施形態の広告表示システム１によれば、車両１０の速度に応じて広告を選定することにより、消費者が広告を認識し易くしたり、より多くの情報を認識させたりできるので、広告の宣伝効果を高めることが可能になる。
【０１２１】
＜その他の実施形態＞
上記の実施形態はあくまでも一例であって、本発明はその要旨を逸脱しない範囲内で適宜変更して実施し得る。上記実施形態では、サーバ３０が、機能構成要素として、車両管理部３０１、車両選定部３０２、広告配信部３０３、広告情報ＤＢ３１１、走行履歴ＤＢ３１２、配信情報ＤＢ３１３、地図情報ＤＢ３１４を含んでいるが、これらの機能構成要素の一部または全部が、車両１０に含まれていてもよい。
【０１２２】
本開示において説明した処理や手段は、技術的な矛盾が生じない限りにおいて、自由に組み合わせて実施することができる。
【０１２３】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１２４】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０１２５】
１  広告表示システム
１０  車両
２１  プロセッサ
２２  主記憶部
２３  補助記憶部
２４  入力部
２５  出力部
２６  通信部
２７  位置情報センサ
２８  走行情報センサ
２９  表示装置
３０  サーバ
３１  プロセッサ
３２  主記憶部
３３  補助記憶部
３４  通信部
【図１】
2020086221.tif 000003
【図２】
2020086221.tif 000004
【図３】
2020086221.tif 000005
【図４】
2020086221.tif 000006
【図５】
2020086221.tif 000007
【図６】
2020086221.tif 000008
【図７】
2020086221.tif 000009
【図８】
2020086221.tif 000010
【図９】
2020086221.tif 000011
【図１０】
2020086221.tif 000012
【図１１】
2020086221.tif 000013
【図１２】
2020086221.tif 000014
【図１３】
2020086221.tif 000015
【図１４】
2020086221.tif 000016
【図１５】
2020086221.tif 000017
【図１６】
2020086221.tif 000018
【図１７】
2020086221.tif 000019